(57)【要約】【課題】画像形成装置において、操作パネル位置の移動性を高めることにより、操作性の改善を図る。【解決手段】操作パネル４の支持部４ａがヒンジ４ｂを介して支持アーム６へ連結さる。支持アーム６は固定部６ａが支柱５に固定される。固定部６ａとスライド部６ｂは締結部材７により位置関係を相対的に移動可能に締結される。ネジ部７ｂにより固定部６ａとスライド部６ｂの締結を行なう締結部材７は、ノブ７ａを回転させて工具を用いずに着脱可能である。操作パネル４の方向は、ヒンジ４ｂを回転中心として変更可能である。操作パネル４にはストッパ４ｃを設け、通常位置では固定部６ａとストッパ４ｃとで操作パネル４の下方向の回転範囲を規制し、前方位置ではストッパ４ｃが機能せず、通常位置よりも操作パネル４の回転範囲が拡大し、装置前方で着座姿勢での操作を行なう場合の操作性を改善することができる。【選択図】図２
2009204639.tif 000002
【特許請求の範囲】
【請求項１】
複写機、プリンタ等の画像形成装置であって、液晶等を用いた大型の表示部を有する操作パネルと、該操作パネルを画像形成装置の装置本体上面に突出して設置する支持部材を備え、該支持部材に対して前記操作パネルを、表示部が操作者に対し対面する方向に支持するとともに、該操作パネルの垂直方向の配置角度を可動とすると共に、前記画像形成装置本体に対する前後方向位置を可変としてなることを特徴とする画像形成装置。
【請求項２】
請求項１の画像形成装置において、前記画像形成装置本体前方向に移動した際に、前記操作パネルのパネル本体が前記画像形成装置本体の前側外装の最前面よりも前方まで移動可能に前記操作パネルの可動範囲を設定してなることを特徴とする画像形成装置。
【請求項３】
請求項１の画像形成装置において、前記操作パネルのパネル本体を前記画像形成装置本体の前側外装の最前面よりも前方まで移動した際に、垂直方向配置角度を鉛直よりも下向きにまで回転できるよう、角度調整範囲を設定してなることを特徴とする画像形成装置。
【請求項４】
請求項３の画像形成装置において、前記操作パネルのパネル本体を前記画像形成装置の装置本体の前側外装の最前面よりも前方まで移動した場合の前記操作パネルの垂直方向角度可変範囲が、外装最前面よりも後方に配置した場合の角度可変範囲よりも大きくなるようにしてなることを特徴とする画像形成装置。
【請求項５】
請求項１の画像形成装置において、前記画像形成装置本体に設置される前記支持部材が、垂直方向の支柱部と水平方向のアーム部からなり、かつ該アーム部分が前記支柱部分に対し固定される固定部分と、前後方向に移動可能なスライド部分からなることを特徴とする画像形成装置。
【請求項６】
請求項５の画像形成装置において、前記支持部材のアーム部の固定部分とスライド部分とを、工具を用いずに締結可能な締結部材により固定可能としてなることを特徴とする画像形成装置。
【請求項７】
請求項５の画像形成装置において、前記支持部材のアーム部の固定部分とスライド部分との固定可能な位置を、通常位置と装置前方位置の２ヶ所に限定してなることを特徴とする画像形成装置。
【請求項８】
請求項５の画像形成装置において、前記支持部材のアーム部の固定部分とスライド部分とを、ネジ等の汎用的な締結部材により固定する構成としてなることを特徴とする画像形成装置。
【請求項９】
請求項１の画像形成装置において、前記画像形成装置本体に設置される前記支持部材が、垂直方向の支柱部と水平方向のアーム部からなり、該支柱部とアーム部との相対的な連結位置を２ヶ所設けてなることを特徴とする画像形成装置。
【請求項１０】
請求項９の画像形成装置において、前記支持部材の支柱部とアーム部とを、工具を用いずに締結可能な締結部材により固定可能としてなることを特徴とする画像形成装置。
【請求項１１】
請求項９の画像形成装置において、前記支持部材の支柱部とアーム部とを、ネジ等の汎用的な締結部材により固定可能としてなることを特徴とする画像形成装置。
【請求項１２】
請求項１の画像形成装置において、前記操作パネル下面に、垂直方向配置角度を調整するための取手部を設けてなることを特徴とする画像形成装置。
【請求項１３】
請求項１２の画像形成装置において、前記取手部を弾性を有する材質により形成してなることを特徴とする画像形成装置。
【請求項１４】
請求項１２の画像形成装置において、前記取手部を前記操作パネル本体とは別体としかつ着脱可能としてなることを特徴とする画像形成装置。
【発明の詳細な説明】
【技術分野】
【０００１】
本発明は、複写機、プリンタ等の画像形成装置であって、操作パネルを画像形成装置の装置本体上面に突出して設置したものに関する。
【背景技術】
【０００２】
複写機、プリンタ等の画像形成装置に用いる操作パネルに関しは、その使用状況に応じて設置位置を複数個所設ける方法が提案されている。その種の操作パネル、特に比較的高速、多機能な装置に用いられるものにおいては、その操作性、視認性を向上させるために大型のＬＣＤモジュール等を用いた表示部を設け、且つこれを装置本体上面に突出させて支持する構造としたものがある。
【０００３】
【特許文献１】特開２００２−２６８３９０号公報
【特許文献２】特開２００４−０６１８９８号公報
【特許文献３】特開Ｈ０５−２１６３４４号公報
【特許文献４】特開Ｈ０５−２５７３４０号公報
【発明の開示】
【発明が解決しようとする課題】
【０００４】
このような構成とした場合、操作パネル配置位置は装置全高よりもさらに上となるため、オペレータの作業位置や姿勢、特に車椅子等への着座姿勢での作業が困難となる場合がある。
【０００５】
そこで本発明においては、上述の問題を考慮し、画像形成装置において、操作パネル位置の移動性を高めることにより、操作性の改善を図ることを目的とする。
【課題を解決するための手段】
【０００６】
本発明の画像形成装置のうち請求項１に係るものは、複写機、プリンタ等の画像形成装置であって、液晶等を用いた大型の表示部を有する操作パネルと、該操作パネルを画像形成装置の装置本体上面に突出して設置する支持部材を備え、該支持部材に対して前記操作パネルを、表示部が操作者に対し対面する方向に支持するとともに、該操作パネルの垂直方向の配置角度を可動とすると共に、前記画像形成装置本体に対する前後方向位置を可変としてなることを特徴とする。
【０００７】
請求項２に係るものは、請求項１の画像形成装置において、前記画像形成装置本体前方向に移動した際に、前記操作パネルのパネル本体が前記画像形成装置本体の前側外装の最前面よりも前方まで移動可能に前記操作パネルの可動範囲を設定してなることを特徴とする。
【０００８】
請求項３に係るものは、請求項１の画像形成装置において、前記操作パネルのパネル本体を前記画像形成装置本体の前側外装の最前面よりも前方まで移動した際に、垂直方向配置角度を鉛直よりも下向きにまで回転できるよう、角度調整範囲を設定してなることを特徴とする。
【０００９】
請求項４に係るものは、請求項３の画像形成装置において、前記操作パネルのパネル本体を前記画像形成装置の装置本体の前側外装の最前面よりも前方まで移動した場合の前記操作パネルの垂直方向角度可変範囲が、外装最前面よりも後方に配置した場合の角度可変範囲よりも大きくなるようにしてなることを特徴とする。
【００１０】
請求項５に係るものは、請求項１の画像形成装置において、前記画像形成装置本体に設置される前記支持部材が、垂直方向の支柱部と水平方向のアーム部からなり、かつ該アーム部分が前記支柱部分に対し固定される固定部分と、前後方向に移動可能なスライド部分からなることを特徴とする。
【００１１】
請求項６に係るものは、請求項５の画像形成装置において、前記支持部材のアーム部の固定部分とスライド部分とを、工具を用いずに締結可能な締結部材により固定可能としてなることを特徴とする。
【００１２】
請求項７に係るものは、請求項５の画像形成装置において、前記支持部材のアーム部の固定部分とスライド部分との固定可能な位置を、通常位置と装置前方位置の２ヶ所に限定してなることを特徴とする。
【００１３】
請求項８に係るものは、請求項５の画像形成装置において、前記支持部材のアーム部の固定部分とスライド部分とを、ネジ等の汎用的な締結部材により固定する構成としてなることを特徴とする。
【００１４】
請求項９に係るものは、請求項１の画像形成装置において、前記画像形成装置本体に設置される前記支持部材が、垂直方向の支柱部と水平方向のアーム部からなり、該支柱部とアーム部との相対的な連結位置を２ヶ所設けてなることを特徴とする。
【００１５】
請求項１０に係るものは、請求項９の画像形成装置において、前記支持部材の支柱部とアーム部とを、工具を用いずに締結可能な締結部材により固定可能としてなることを特徴とする。
【００１６】
請求項１１に係るものは、請求項９の画像形成装置において、前記支持部材の支柱部とアーム部とを、ネジ等の汎用的な締結部材により固定可能としてなることを特徴とする。
【００１７】
請求項１２に係るものは、請求項１の画像形成装置において、前記操作パネル下面に、垂直方向配置角度を調整するための取手部を設けてなることを特徴とする。
【００１８】
請求項１３に係るものは、請求項１２の画像形成装置において、前記取手部を弾性を有する材質により形成してなることを特徴とする。
【００１９】
請求項１４に係るものは、請求項１２の画像形成装置において、前記取手部を前記操作パネル本体とは別体としかつ着脱可能としてなることを特徴とする。
【発明の効果】
【００２０】
本発明によれば、操作パネルの位置を通常操作を考慮した位置、及び装置前方で着座姿勢により操作を行った際に操作性の良い位置の２ヶ所に設置可能とし、操作性の改善を図れるという効果がある。
【発明を実施するための最良の形態】
【００２１】
以下本発明を実施するための最良の形態を、図に示す実施例を参照して説明する。
【実施例１】
【００２２】
図１は本発明の実施対象となる複写機の外観全体を示す斜視図である。図において、１は画像形成装置の装置本体であり、２は転写紙を積載して装置内部へ搬送する給紙トレイ、３は複写原稿を露光位置へ搬送する原稿搬送部である。また図中４は操作パネルであり、支柱５、支持アーム６により、装置本体の右側後部上面に配置されている。
【００２３】
図２〜４は、操作パネル支持部の一実施例の構成を示す図である。これらの図において、操作パネル４には支持部４ａが設けられ、ヒンジ４ｂを介して支持アーム６へと連結されている。支持アーム６は固定部６ａとスライド部６ｂとから構成され、固定部６ａは支柱５に対し固定されている。固定部６ａとスライド部６ｂは締結部材７により締結される。固定部６ａとスライド部６ｂの位置関係は、相対的に移動可能であり、図２は通常の位置、図３は前方へ移動した前方位置を示す。前方位置では、装置本体１の前面外装の最前面よりも前方まで、操作パネル４を移動することができる。
【００２４】
また図中７はネジ部７ｂにより固定部６ａとスライド部６ｂの締結を行なう部材であり、ノブ７ａを回転させることにより、工具を用いることなく着脱可能である。固定部６ａとスライド部６ｂとの位置関係は、２ヶ所を超える複数個所設けることも可能であるが、構成が複雑となること、機能上２ヶ所設ければ目的を達成可能なことから、本実施例では、これを２ヶ所としている。
【００２５】
ヒンジ４ｂは、例えばフリーストップヒンジを用いることができ、操作パネル４の方向を、ヒンジ４ｂを回転中心として変更することが可能である。図４に、操作パネル４を下向きに回転させた状態を示す。
【００２６】
また、本実施例では操作パネル４にストッパ４ｃを設けている。このため、図２の通常位置では固定部６ａとストッパ４ｃとで操作パネル４の下方向の回転範囲が規制されている。一方、図３の前方位置ではストッパ４ｃは機能しないため、通常位置よりも操作パネル４の回転範囲を拡大することができる。
【００２７】
図４に示す位置へと操作パネル４を移動することにより、装置前方で着座姿勢での操作を行なう場合の操作性を改善することができる。また、図２の位置では操作パネル４を下向きに回転させることは逆に操作性を損ねるとともに、画像形成装置の装置本体１の上面と操作パネル４との干渉を回避するために、操作パネル４の位置を上方へ移動する必要が生じるが、上記の構成によれば、以上のことを改善することができる。
【００２８】
図５に、操作パネル４の構成の一例を示す。図において、４ｄはＬＣＤモジュール等を用いた表示部、４ｅはハードキーである。また、操作パネル４の下面に取手４ｆを設けている。取手４ｆは操作パネル４とは別体とし、操作パネル４に対して着脱可能としている。また、取手４ｆはゴム等の弾性を有する材質により形成している。これにより、操作中に取手部に衝突する等が発生した際の安全性を確保している。
【実施例２】
【００２９】
図６に本発明の第２の実施例の構成を示す。図６の構成は基本的に図２と同様であるが、締結部材として汎用的なネジ８を使用している。このことにより、固定部６ａとスライド部６ｂの位置変更を行なうには工具を使用することが必要となる。操作パネル４と画像形成装置の装置本体１の制御部とを連結する信号線等の這い回しのやり方によっては、操作パネル４の位置移動作業の際にこれを損傷させる可能性が発生する場合がある。そこで、このような場合には、ネジ８のような締結部材を使用することにより、作業実施者を保守員等に限定することにより不具合発生を防止する。
【実施例３】
【００３０】
図７、図８に本発明の第３の実施例の構成を示す。これらの図において、支持アーム６は一体で構成され、支柱５と締結部材７により締結される。このとき、支柱５と支持アーム６との位置関係は前記同様２種類設ける。図７に通常位置を、図８に前方位置を示す。また、前記実施例と同様に、必要に応じて締結部材７の代わりに汎用ネジを用いることもできる。
【００３１】
すなわち本発明の操作パネルにおいては、パネル位置を通常操作を考慮した位置、及び装置前方で着座姿勢により操作を行なった際に操作性の良い位置の２ヶ所に設置可能とし、操作性の改善を行なっている。また、操作パネルの配置角度調整範囲を必要に応じて規制することにより、周辺との干渉を避け最適な設定を行なうことを可能としている。また、パネル支持アームにスライド部を設けることにより位置の移動を容易に行なうこと、パネル位置の移動を、工具を用いずに操作者が行なうこと、パネル位置の移動個所を２ヶ所に限定することにより作業の確実性を向上させること、パネル位置の移動作業を保守員等の作業に限定することにより確実性の向上を図ることを可能とし、しかも従来に比べ、より簡単な構成により上述した各実施例の効果を得ることができるようにしている。
【００３２】
さらに本発明の操作パネルにおいては、操作パネルの下部に角度調整用の取手を設けることにより、着座姿勢での操作性を向上させ、この調整用取手を弾性を有する材質から形成することにより、操作者が取手に衝突する等の事態が発生した際の、安全性を確保し、操作パネルの下部の調整用取手を着脱可能にし、不要な場合に取り外すことにより、作業スペースの有効利用を可能としているのである。
【図面の簡単な説明】
【００３３】
【図１】本発明の実施対象となる複写機の外観全体を示す斜視図
【図２】操作パネル支持部の一実施例の構成を示す図（通常の位置）
【図３】操作パネル支持部の一実施例の構成を示す図（前方へ移動した前方位置）
【図４】操作パネル支持部の一実施例の構成を示す図（操作パネルを下向きに回転させた状態）
【図５】操作パネルの構成の一例を示す図
【図６】本発明の第２の実施例の構成を示す図
【図７】本発明の第３の実施例の構成を示す図
【図８】本発明の第３の実施例の構成を示す図
【符号の説明】
【００３４】
１：画像形成装置の装置本体
２：給紙トレイ
３：原稿搬送部
４：操作パネル
４ａ：支持部
４ｂ：ヒンジ
４ｃ：ストッパ
４ｄ：表示部
４ｅ：ハードキー
４ｆ：取手
５：支柱
６：支持アーム
６ａ：固定部
６ｂ：スライド部
７：締結部材
７ａ：ノブ
７ｂ：ネジ部
８：汎用的なネジ
【図１】
2009204639.tif 000003
【図２】
2009204639.tif 000004
【図３】
2009204639.tif 000005
【図４】
2009204639.tif 000006
【図５】
2009204639.tif 000007
【図６】
2009204639.tif 000008
【図７】
2009204639.tif 000009
【図８】
2009204639.tif 000010